(57)【要約】 【課題】異なる光ディスクに対して互換可能に情報の記録及び／又は再生を行うために、２つの対物レンズを一体的に形成してなる光ピックアップ装置用の光学素子と、それを用いた光ピックアップ装置を提供する。 【解決手段】第１有効径外領域ＥＯ１を、第１有効径内領域ＥＩ１を延長した形状（点線で図示）に対して、光軸方向外側に張り出した形状とすることで、フランジ部ＦＬに対する交差角を鈍くし、且つ第２有効径外領域ＥＯ２を、第２有効径内領域ＥＩ２を延長した形状（点線で図示）に対して、光軸方向内側に引き込んだ形状とすることで、第１の対物レンズ部ＯＬ１から離すようにし、それにより光学素子ＯＥの成形性を高めることができる。【選択図】図２
2008135153.tif 000002
【特許請求の範囲】
【請求項１】
単一又は複数の光源と、第１の対物レンズ部と第２の対物レンズ部とを一体的に形成した光学素子とを有し、前記光源からの光束を、前記第１の対物レンズ部を介して第１光情報記録媒体の情報記録面に集光させることにより、その情報記録面に対して情報の記録及び／又は再生が可能となっており、また前記第２の対物レンズ部を介して第２光情報記録媒体の情報記録面に集光させることにより、その情報記録面に対して情報の記録及び／又は再生が可能となっている光ピックアップ装置用の光学素子であって、
前記第１の対物レンズ部の光学面は、第１の直径により定義される境界より光軸直交方向内側の第１径内領域と、前記第１の直径により定義される境界より光軸直交方向外側の第１径外領域とを有し、前記第１径内領域の外縁における面法線角度θi1は、前記第１径外領域の内縁における面法線角度θo1より大きくなっており、
前記第２の対物レンズ部の光学面は、第２の直径により定義される境界より光軸直交方向内側の第２径内領域と、前記第２の直径により定義される境界より光軸直交方向外側の第２径外領域とを有し、前記第２径内領域の外縁における面法線角度θi2は、前記第２径外領域の内縁における面法線角度θo2より小さくなっており、
以下の条件式を満たすことを特徴とする光ピックアップ装置用の光学素子。
Ｌ１＞Ｌ２    （１）      
但し、Ｌ１は、前記第１の対物レンズ部の面頂点より、前記第１の直径により定義される境界までの光軸方向の距離を表し、Ｌ２は、前記第２の対物レンズ部の面頂点より、前記第２の直径により定義される境界までの光軸方向の距離を表すものとする。
【請求項２】
前記第１の直径により定義される境界及び前記第２の直径により定義される境界とは、それぞれ前記第１の対物レンズ部および前記第２の対物レンズ部の光学面の最大有効径であることを特徴とする請求項１に記載の光学素子。
【請求項３】
前記第１光情報記録媒体は厚さがｔ１である保護基板を有しており、前記第２光情報記録媒体は厚さがｔ２（ｔ２＞ｔ１）である保護基板を有していることを特徴とする請求項１又は２に記載の光ピックアップ装置用の光学素子。
【請求項４】
前記第１径外領域を通過した光束は、前記第１径内領域を通過した光束により形成される集光スポットに対してオーバーフレアとなり、前記第２径外領域を通過した光束は、前記第２径内領域を通過した光束により形成される集光スポットに対してアンダーフレアとなることを特徴とする請求項１乃至３のいずれかに記載の光ピックアップ装置用の光学素子。
【請求項５】
以下の式のうち少なくとも一方を満たすことを特徴とする請求項１乃至４のいずれかに記載の光ピックアップ装置用の光学素子。
４°≦｜θi1 ―  θo1｜≦１８°      （２）
４°≦｜θi2 ―  θo2｜≦１８°      （３）
【請求項６】
前記第１径外領域と前記第２径外領域のうち少なくとも一方は屈折面であることを特徴とする請求項１乃至５のいずれかに記載の光ピックアップ装置用の光学素子。
【請求項７】
前記第１径外領域と前記第１径内領域とは連続していることを特徴とする請求項１乃至６のいずれかに記載の光ピックアップ装置用の光学素子。
【請求項８】
前記第２径外領域と前記第２径内領域とは連続していることを特徴とする請求項１乃至７のいずれかに記載の光ピックアップ装置用の光学素子。
【請求項９】
前記第１径外領域と前記第２径外領域のうち少なくとも一方は、回折構造を有することを特徴とする請求項１乃至８のいずれかに記載の光ピックアップ装置用の光学素子。
【請求項１０】
前記第１径内領域と前記第２径内領域のうち少なくとも一方は、回折構造を有することを特徴とする請求項１乃至９のいずれかに記載の光ピックアップ装置用の光学素子。
【請求項１１】
前記第１の対物レンズ部の前記第１の直径と、前記第２の対物レンズ部の前記第２の直径とは、略等しいことを特徴とする請求項１乃至１０のいずれかに記載の光ピックアップ装置用の光学素子。
【請求項１２】
前記光源は、第１光源と第２光源の少なくとも２つの光源を有し、
前記第１光源は、波長λ１の光束を出射し、前記第２光源は、波長λ２（λ２＞λ１）の光束を出射し、
前記第１光情報記録媒体に対して情報記録及び／又は再生を行うときは、前記第１の光源を用い、
前記第２光情報記録媒体に対して情報記録及び／又は再生を行うときは、前記第２の光源を用いる光ピックアップ装置で用いられることを特徴とする請求項１乃至１１のいずれかに記載の光ピックアップ装置用の光学素子。
【請求項１３】
光源と、請求項１乃至１２のいずれかに記載の光ピックアップ装置の光学素子を用いたことを特徴とする光ピックアップ装置。
【請求項１４】
前記光ピックアップ装置は、前記光学素子と前記光源の間の光路中にミラーが配置され、
前記第１光情報記録媒体の記録及び／又は再生を行う場合は、前記ミラーで反射された光束が、前記第１の対物レンズ部を通過し、
前記第２光情報記録媒体の記録及び／又は再生を行う場合は、前記ミラーで反射された光束が、前記第２の対物レンズを通過し、
前記第１の対物レンズ部によって前記第１光情報記録媒体の記録及び／又は再生を行う際の、前記ミラー面上での最大光束径と、前記第２の対物レンズ部によって前記第２光情報記録媒体の記録及び／又は再生を行う際の前記ミラー面上での最大光束径とが略等しいことを特徴とする請求項１３に記載の光ピックアップ装置。
【請求項１５】
単一又は複数の光源と、第１の対物レンズ部と第２の対物レンズ部とを一体的に形成した光学素子とを有し、前記光源からの光束を、前記第１の対物レンズ部を介して保護基板の厚さがｔ１である第１光情報記録媒体の情報記録面に集光させることにより、その情報記録面に対して情報の記録及び／又は再生が可能となっており、また前記第２の対物レンズ部を介して保護基板の厚さがｔ２（ｔ２＞ｔ１）である第２光情報記録媒体の情報記録面に集光させることにより、その情報記録面に対して情報の記録及び／又は再生が可能となっている光ピックアップ装置用の光学素子であって、
前記第１の対物レンズ部の光学面は、第１の直径により定義される境界より光軸直交方向内側の第１径内領域と、前記第１の直径により定義される境界より光軸直交方向外側の第１径外領域とを有し、前記第１径内領域の外縁における面法線角度θi1は、前記第１径外領域の内縁における面法線角度θo1より大きくなっており、
前記第２の対物レンズ部の光学面は、第２の直径により定義される境界より光軸直交方向内側の第２径内領域と、前記第２の直径により定義される境界の光軸直交方向外側の第２径外領域とを有し、前記第２径内領域の外縁における面法線角度θi2は、前記第２径外領域の内縁における面法線角度θo2より小さくなっていることを特徴とする光ピックアップ装置用の光学素子。
【請求項１６】
前記第１の対物レンズ及び前記第２の対物レンズ部は、屈折面のみを有することを特徴とする請求項１５に記載の光ピックアップ装置用の光学素子。
【請求項１７】
請求項１５又は１６に記載の光ピックアップ装置の光学素子を用いたことを特徴とする光ピックアップ装置。
【請求項１８】
前記光ピックアップ装置は、前記光学素子と前記光源の間の光路中にミラーが配置され、
前記第１光情報記録媒体の記録及び／又は再生を行う場合は、前記ミラーで反射された光束が、前記第１の対物レンズ部を通過し、
前記第２光情報記録媒体の記録及び／又は再生を行う場合は、前記ミラーで反射された光束が、前記第２の対物レンズ部を通過し、
前記第１の対物レンズ部によって前記第１光情報記録媒体の記録及び／又は再生を行う際の、前記ミラー面上での最大光束径と、前記第２の対物レンズ部によって前記第２光情報記録媒体の記録及び／又は再生を行う際の前記ミラー面上での最大光束径とが略等しいことを特徴とする請求項１７に記載の光ピックアップ装置。
【請求項１９】
単一又は複数の光源と、第１のカップリングレンズ部と第２のカップリングレンズ部とを一体的に形成した光学素子と、単一又は複数の対物光学素子とを有し、前記光源からの光束を、前記第１のカップリングレンズ部及び前記対物光学素子を介して第１光情報記録媒体の情報記録面に集光させることにより、その情報記録面に対して情報の記録及び／又は再生が可能となっており、また前記第２のカップリングレンズ部及び前記対物光学素子を介して第２光情報記録媒体の情報記録面に集光させることにより、その情報記録面に対して情報の記録及び／又は再生が可能となっている光ピックアップ装置用の光学素子であって、
前記第１のカップリングレンズ部の光学面は、第１の直径により定義される境界より光軸直交方向内側の第１径内領域と、前記第１の直径により定義される境界より光軸直交方向外側の第１径外領域とを有し、
前記第１径内領域の外縁における面法線角度θi1は、前記第１径外領域の内縁における面法線角度θo1より大きくなっており、
前記第２のカップリングレンズ部の光学面は、第２の直径により定義される境界より光軸直交方向内側の第２径内領域と、前記第２の直径により定義される境界より光軸直交方向外側の第２径外領域とを有し、前記第２径内領域の外縁における面法線角度θi2は、前記第２径外領域の内縁における面法線角度θo2より小さくなっており、以下の条件式を満たすことを特徴とする光ピックアップ装置用の光学素子。
Ｌ１＞Ｌ２          （１）
但し、Ｌ１は、前記第１のカップリングレンズ部の面頂点より、前記第１の直径により定義される境界までの光軸方向の距離を表し、Ｌ２は、前記第２のカップリングレンズ部の面頂点より、前記第２の直径により定義される境界までの光軸方向の距離を表すものとする。
【請求項２０】
請求項１９に記載の光ピックアップ装置の光学素子を用いたことを特徴とする光ピックアップ装置。
【請求項２１】
単一又は複数の光源と、第１のカップリングレンズ部と第２のカップリングレンズ部とを一体的に形成した光学素子と、単一又は複数の対物光学素子を有し、前記光源からの光束を、前記第１のカップリングレンズ部及び前記対物光学素子を介して保護基板の厚さがｔ１である第１光情報記録媒体の情報記録面に集光させることにより、その情報記録面に対して情報の記録及び／又は再生が可能となっており、また前記第２のカップリングレンズ部及び前記対物光学素子を介して保護基板の厚さがｔ２（ｔ２＞ｔ１）である第２光情報記録媒体の情報記録面に集光させることにより、その情報記録面に対して情報の記録及び／又は再生が可能となっている光ピックアップ装置用の光学素子であって、
前記第１のカップリングレンズ部の光学面は、第１の直径により定義される境界より光軸直交方向内側の第１径内領域と、前記第１の直径により定義される境界より光軸直交方向外側の第１径外領域とを有し、
前記第１径内領域の外縁における面法線角度θi1は、前記第１径外領域の内縁における面法線角度θo1より大きくなっており、
前記第２のカップリングレンズ部の光学面は、第２の直径により定義される境界より光軸直交方向内側の第２径内領域と、前記第２の直径により定義される境界より光軸直交方向外側の第２径外領域とを有し、
前記第２径内領域の外縁における面法線角度θi2は、前記第２径外領域の内縁における面法線角度θo2より小さくなっていることを特徴とする光ピックアップ装置用の光学素子。
【請求項２２】
請求項２１に記載の光ピックアップ装置の光学素子を用いたことを特徴とする光ピックアップ装置。
【発明の詳細な説明】
【技術分野】
【０００１】
本発明は、異なる種類の光情報記録媒体（光ディスクともいう）に対して情報の記録及び／又は再生を行える光ピックアップ装置用の光学素子及びそれを用いた光ピックアップ装置に関する。 
【背景技術】
【０００２】
近年、波長４００ｎｍ程度の青紫色半導体レーザを用いて、情報の記録及び／又は再生（以下、「記録及び／又は再生」を「記録／再生」と記載する）を行える高密度光ディスクシステムの研究・開発が急速に進んでいる。一例として、ＮＡ０．６５、光源波長４０５ｎｍの仕様で情報記録／再生を行う光ディスク、いわゆるＨＤ  ＤＶＤ（以下、ＨＤという）では、直径１２ｃｍの光ディスクに対して、１層あたり１５〜２０ＧＢの情報の記録が可能である。以下、本明細書では、このような光ディスクを「高密度光ディスク」と呼ぶ。ＨＤに対して情報の記録／再生を行える光ピックアップ装置においては、良好な光学特性を得るためにガラス製の対物レンズが用いられる場合がある。
【０００３】
また、現在において、多種多様な情報を記録したＤＶＤやＣＤ（コンパクトディスク）が販売されている現実をふまえると、一台のプレーヤーで可能な限り様々なタイプの光ディスクに対して適切に情報の記録／再生ができるようにすることが望まれている。更に、光ピックアップ装置がノート型パソコン等に搭載されることが多い実情をふまえると、複数種の光ディスクに対する互換性を有するのみでは足らず、そのコンパクト化を実現する事が重要である。
【０００４】
ここで、光ピックアップ装置において、単一の対物レンズを用いて異なる光ディスクの互換使用が可能になれば、コンパクト化を実現する上で好ましいと言える。ところが、高密度光ディスクの仕様を考慮すると、対物レンズの共通化を図ることは技術的に困難であると言える。例えば、ＢＤとＨＤとでは、保護基板厚が異なるにも関わらず、同じ波長の光束を使用するので、回折構造を用いて収差補正を行うことができず、対物レンズの共通化が難しいという実情がある。
【０００５】
また、コンパクト化のためにＤＶＤ／ＣＤ互換レンズは既に実用化されているものの、ＣＤのＷＤ（ワーキングディスタンス）をある程度確保しなければならないため、ＤＶＤ有効径はＣＤ有効径よりも大きくなり、それにより互換レンズの外径が大きくなる傾向がある。これに対しＤＶＤ用、ＣＤ用にそれぞれ専用レンズを用いれば、ＣＤ側ＷＤの律束なくＤＶＤ用レンズを小さくする事ができる。
【０００６】
このように、互換可能な光ピックアップ装置において、対物レンズの「共通化」と「コンパクト化」を両立させ、更に好ましい光学性能を得るためには、レンズを並列に並べて一体成形した複合光学素子を用いることが考えられる。このような複合光学素子は、個々に成形した２つのレンズを用いる場合に比べて、フランジ部を共通化できるため、レンズ間の間隔を狭められるというメリットがある。また、組み立て調整の簡易化や低コスト化を図ることができるというメリットもある。このような複合光学素子の例としては、特許文献１に記載されたものがある。
【特許文献１】特開平９−１１５１７０号公報
【発明の開示】
【発明が解決しようとする課題】
【０００７】
ところで、特許文献１に示すごとき複合光学素子を使用した場合においても、光ピックアップ装置をさらにコンパクトにしたいという要望がある。これが第一の課題である。しかるに、光ピックアップ装置をさらにコンパクトにするためには、光ピックアップ装置の大きさがＷＤ及びレンズの軸上厚及び有効径の和に関係してくるため、２つのレンズの有効径を同寸とすることが好ましいといえる。更に、アクチュエータによる対物レンズの位置調整のためには、それぞれのレンズのＷＤも近い事が望ましい。
【０００８】
ところが、前述を満たすと、フランジ厚が異なってしまうという問題が生じる。しかしながら、複合光学素子については、成形上の都合から、レンズ間のフランジ部の厚みを同一とし、光軸方向に向いた両面を平行とする事が好ましいとされている。これが第二の課題である。
【０００９】
更に、絞りを光ピックアップ装置に設ける場合、一体的に形成された２つのレンズ部を有するレンズにおいて、それぞれのレンズ部に対して絞りの位置が合うように調整することが困難であるという問題もある。これが第三の課題である。
【００１０】
かかる従来技術の問題に鑑み、本発明者は鋭意研究の結果、上述の第一、第二及び第三の課題を一度に全て解決することを可能とする本発明の光学素子に思い至った。即ち、有効径を同寸とでき、ＷＤも互いに同じ長さに近づける事ができ、光ピックアップ装置を更にコンパクトにでき、更に、フランジ厚を同じにすることにより、成形をより行ないやすくでき、加えて、ピックアップに別途の絞りを設けることなく、光ピックアップ装置の構成を簡単にすることが可能となる光ピックアップ装置用の光学素子を提供する事を目的とする。また、同様の思想をコリメートレンズ等のカップリングレンズに応用し、優れた効果を有する光学素子を提供することも本発明の目的の一つである。
【課題を解決するための手段】
【００１１】
本明細書においては、情報の記録／再生用の光源として、青紫色半導体レーザや青紫色ＳＨＧレーザを使用する光ディスク（光情報記録媒体ともいう）を総称して「高密度光ディスク」といい、ＮＡ０．８５の対物光学系により情報の記録／再生を行い、保護層の厚さが０．１ｍｍ程度である規格の光ディスク（例えば、ＢＤ：ブルーレイディスク）の他に、ＮＡ０．６５乃至０．６７の対物光学系により情報の記録／再生を行い、保護層の厚さが０．６ｍｍ程度である規格の光ディスク（例えば、ＨＤ  ＤＶＤ：単にＨＤともいう）も含むものとする。また、このような保護層をその情報記録面上に有する光ディスクの他に、情報記録面上に数〜数十ｎｍ程度の厚さの保護膜を有する光ディスクや、保護層或いは保護膜の厚さが０の光ディスクも含むものとする。また、本明細書においては、高密度光ディスクには、情報の記録／再生用の光源として、青紫色半導体レーザや青紫色ＳＨＧレーザを使用する光磁気ディスクも含まれるものとする。 
【００１２】
更に、本明細書においては、ＤＶＤとは、ＤＶＤ−ＲＯＭ、ＤＶＤ−Ｖｉｄｅｏ、ＤＶＤ−Ａｕｄｉｏ、ＤＶＤ−ＲＡＭ、ＤＶＤ−Ｒ、ＤＶＤ−ＲＷ、ＤＶＤ＋Ｒ、ＤＶＤ＋ＲＷ等のＤＶＤ系列光ディスクの総称であり、ＣＤとは、ＣＤ−ＲＯＭ、ＣＤ−Ａｕｄｉｏ、ＣＤ−Ｖｉｄｅｏ、ＣＤ−Ｒ、ＣＤ−ＲＷ等のＣＤ系列光ディスクの総称である。記録密度は、高密度光ディスクが最も高く、次いでＤＶＤ、ＣＤの順に低くなる。 
【００１３】
請求項１に記載の光ピックアップ装置用の光学素子は、単一又は複数の光源と、第１の対物レンズ部と第２の対物レンズ部とを一体的に形成した光学素子とを有し、前記光源からの光束を、前記第１の対物レンズ部を介して第１光情報記録媒体の情報記録面に集光させることにより、その情報記録面に対して情報の記録及び／又は再生が可能となっており、また前記第２の対物レンズ部を介して第２光情報記録媒体の情報記録面に集光させることにより、その情報記録面に対して情報の記録及び／又は再生が可能となっている光ピックアップ装置用の光学素子であって、
前記第１の対物レンズ部の光学面は、ある径を境界として（第１の直径により定義される境界）、前記径より光軸直交方向内側の第１径内領域と、前記径（第１の直径により定義される境界）より光軸直交方向外側の第１径外領域とを有し、前記第１径内領域の外縁における面法線角度θi1は、前記第１径外領域の内縁における面法線角度θo1より大きくなっており、
前記第２の対物レンズ部の光学面は、ある径を境界として（第２の直径により定義される境界）前記径より光軸直交方向内側の第２径内領域と、前記径（第２の直径により定義される境界）より光軸直交方向外側の第２径外領域とを有し、前記第２径内領域の外縁における面法線角度θi2は、前記第２径外領域の内縁における面法線角度θo2より小さくなっており、
以下の条件式を満たすことを特徴とする光ピックアップ装置用の光学素子。
Ｌ１＞Ｌ２          （１）
但し、Ｌ１は、前記第１の対物レンズ部の面頂点より、前記第１の直径により定義される境界までの光軸方向の距離を表し、Ｌ２は、前記第２の対物レンズ部の面頂点より、前記第２の直径により定義される境界までの光軸方向の距離を表すものとする。
【００１４】
以下、本発明の原理を具体的に説明する。
【００１５】
図１は、本発明にかかる光学素子ＯＥの一例を示す側面図である。図２は、図１に示す光学素子ＯＥの光軸直交方向断面図である。図面を参照して、本発明の原理を示す。図３（ａ）は、第１光情報記録媒体使用時における第１の対物レンズＯＬ１を通過した光束についての縦球面収差図の例であり、図３（ｂ）は、第２光情報記録媒体使用時における第２の対物レンズＯＬ２を通過した光束についての縦球面収差図の例である。符号は−（マイナス）側が対物側となる。尚、本発明は以下の説明により限定されることはない。
【００１６】
図１において、光学素子ＯＥは、第１の光軸Ｘ１を中心とする第１の対物レンズ部ＯＬ１と、第１の光軸Ｘ１に平行である第２の光軸Ｘ２を中心とする第２の対物レンズ部ＯＬ２と、第１の対物レンズ部ＯＬ１及び第２の対物レンズ部ＯＬ２の周囲に形成されたフランジ部ＦＬとを一体的に形成してなる。フランジ部ＦＬは、第１の光軸Ｘ１と第２の光軸Ｘ２とに直交する方向に延在していると好ましい。
【００１７】
図２において、第１の対物レンズ部ＯＬ１の光学面において、有効径ＥＡ１を境界とし、それに対して光軸Ｘ１側（即ち内側）の領域を第１有効径内領域ＥＩ１とし、有効径ＥＡ１より外側の領域を第１有効径外領域ＥＯ１とする。又、第２の対物レンズ部ＯＬ２の光学面において、有効径ＥＡ２を境界とし、それに対して光軸Ｘ２側（即ち内側）の領域を第２有効径内領域ＥＩ２とし、有効径ＥＡ２より外側の領域を第２有効径外領域ＥＯ２とする。尚、第１有効径内領域ＥＩ１及び第１有効径外領域ＥＯ１は、光源側に設けられていても光情報記録媒体側に設けられていても良い。又、第２有効径内領域ＥＩ２及び第２有効径外領域ＥＯ２は、光源側に設けられていても光情報記録媒体側に設けられていても良い。本発明では、ある径（直径）により定義された境界において、径外領域と径内領域とに分ける事により効果を奏する事ができるが、より顕著な効果を得るためには、有効径を境界とする事が好ましい。尚、「有効径」とは、光情報記録媒体の記録、再生に用いられる光束が通過する光学面上の領域の直径をいうものとする。又、有効径をＷとしたときに、０．９５Ｗ以上、１．０５Ｗ以下の範囲を境界として、面法線角度を変えた場合は、本明細書でいうところの「有効径」を境界として、面法線角度を変えている、とみなすものとする。
【００１８】
ここで、第１有効径内領域ＥＩ１は、それを通過した光束が、第１光情報記録媒体（不図示）の情報記録面に、収差が補正された集光スポットとして形成されるような形状を有している。一方、第１有効径外領域ＥＯ１は、それを通過した光束が、第１光情報記録媒体（不図示）の情報記録面においてフレア光となるような屈折面形状を有しているが、図３（ａ）に示すように、有効径外でオーバーとなる収差を発生させる。これにより、絞りの機能を持たせることができる。
【００１９】
更に、第２有効径内領域ＥＩ２は、それを通過した光束が、第２光情報記録媒体（不図示）の情報記録面に、収差が補正された集光スポットとして形成されるような形状を有している。一方、第２有効径外領域ＥＯ２は、それを通過した光束が、第２光情報記録媒体（不図示）の情報記録面においてフレア光となるような屈折面形状を有しているが、図３（ｂ）に示すように、有効径外でアンダーとなる収差を発生させる。これにより、絞りの機能を持たせることができる。
【００２０】
より具体的に両方の光学面形状を説明すると、第１の対物レンズ部ＯＬ１においては、第１有効径内領域ＥＩ１の外縁（有効径ＥＡ１上）における面法線角度をθi1とし、第１有効径外領域ＥＯ１の内縁（有効径ＥＡ１上）における面法線角度θo1とすると、θi1＞θo1が成立する。このようにすることで、有効径外でオーバーとなる球面収差を得られるが、これにより第１有効径外領域ＥＯ１は、第１有効径内領域ＥＩ１を延長した形状（点線で図示）に対して、光軸方向外側（図２で左方）に張り出した形状となる。尚、面法線角度θi1、θo1に関しては、後述する（１）式を満たすようにするのが好ましい。第１有効径外領域ＥＯ１に、同様にフレア光を創成する回折構造を設けても良い。
【００２１】
一方、第２の対物レンズ部ＯＬ２においては、第２有効径内領域ＥＩ２の外縁（有効径ＥＡ２上）における面法線角度をθi2とし、第２有効径外領域ＥＯ２の内縁（有効径ＥＡ２上）における面法線角度θo2とすると、θi2＜θo2が成立する。このようにすることで、有効径外でアンダーとなる球面収差を得られるが、これにより第２有効径外領域ＥＯ２は、第２有効径内領域ＥＩ２を延長した形状（点線で図示）に対して、光軸方向内側（図２で右方）に引き込まれた形状となる。尚、面法線角度θi2、θo2に関しては、後述する（２）式を満たすようにするのが好ましい。第２有効径外領域ＥＯ２に、同様にフレア光を創成する回折構造を設けても良い。
【００２２】
ここで、基板厚が厚い（ｔ２）第２光情報記録媒体の情報記録面に集光スポットを形成する第２の対物レンズ部ＯＬ２は、基板厚が薄い（ｔ１）第１光情報記録媒体の情報記録面に集光スポットを形成する第１の対物レンズ部ＯＬ１よりも、光学面の曲率が小さくなる傾向がある。従って、第１有効径外領域ＥＯ１と第２有効径外領域ＥＯ２とを、図２で点線で示すように、それぞれ第１有効径内領域ＥＩ１と第２有効径内領域ＥＩ２とを延長するような形状とした場合、第２有効径外領域ＥＯ２はフランジ部ＦＬに対して、第１の対物レンズ部ＯＬ２に近い位置で交差することとなる。かかる形状は、光学素子ＯＥを金型から射出成形する場合など、成形上の困難性を生じさせる恐れがある。特に、図２に示すように、成形性を確保するためには、第１有効径外領域ＥＯ１が必要となる。点線のような有効径内領域のレンズ面形状をそのまま延長したようなレンズ面形状の場合、第１有効径外領域ＥＯ１の最低必要領域を確保しようとするとフランジ部ＦＬ’が小さく（軸線直交方向に短く）なってしまい、光学素子ＯＥの成形が困難になってしまう。また、フランジ部を長く取るために、第１と第２の有効径内領域のレンズ面形状を共にそのまま延長したようなレンズ面形状の場合であって、且つ、第１有効径外領域ＥＯ１と第２有効径外領域ＥＯ２の最低必要領域のみ確保しようとすると、フランジ部が段差を有する面となったり、フランジ部が光軸に対して傾いてしまうため、この場合も光学素子ＯＥの成形が困難になってしまう。
【００２３】
これに対し本発明によれば、図２に実線で示すように、第１有効径外領域ＥＯ１を、第１有効径内領域ＥＩ１を延長した形状（点線で図示）に対して、光軸方向外側に張り出した形状とし、第２有効径外領域ＥＯ２を、第２有効径内領域ＥＩ２を延長した形状（点線で図示）に対して、光軸方向内側に引き込んだ形状とすることで、フランジ部ＦＬを長く確保でき、しかも、フランジ部を、段差のない、光軸に対して垂直な面にすることができるため、光学素子ＯＥの成形性を高めることができる。
【００２４】
尚、本明細書でいうところの第１の直径や第２の直径などの「直径」とは、光軸方向から見た際の光軸直交方向の長さをいうものとする。例えば、「直径」とは図５でいうところのＲ１の２倍の長さ，及びＲ２の２倍の長さをいう。尚、図５に示すように、第１の対物レンズ部ＯＬ１の光源側光学面において、面頂点ＴＰ１からある半径Ｒ１だけ離れた位置ＤＰ１（第１の直径の位置に相当）と、面頂点ＴＰ１との光軸方向の距離をＬ１とし、第２の対物レンズ部ＯＬ２の光源側光学面において、面頂点ＴＰ２からある半径Ｒ２だけ離れた位置ＤＰ２（第２の直径の位置に相当）と、面頂点ＴＰ２との光軸方向の距離をＬ２とする。なお、Ｌ１＞Ｌ２である。また、Ｒ１、Ｒ２が有効径に対応する事が好ましい。
【００２５】
又、第１の対物レンズ部と第２の対物レンズ部とを一体的に形成した光学素子とは、第１の対物レンズ部と第２の対物レンズ部が癒合している場合（例えば、第１の対物レンズ部と第２の対物レンズ部とを有する光学素子を射出成形などにより得る場合）だけでなく、第１の対物レンズ部を有する光学素子と第２の対物レンズ部を有する光学素子とを別々に成形し、後で嵌合させることなどにより一体化した光学素子であってもよい。
【００２６】
本発明の光学素子を用いて、保護基板の厚さがｔ１である第１光情報記録媒体と、保護基板の厚さがｔ２（ｔ２＞ｔ１）である第２光情報記録媒体の記録・再生を行う場合であって、第１の対物レンズ部も第２の対物レンズ部も屈折面のみからなる場合は、原則として、第１の対物レンズ部で第１光情報記録媒体の記録・再生を行い、第２の対物レンズ部で第２光情報記録媒体の記録・再生を行うことが好ましい。しかしながら、対物レンズ部が回折構造や光路差付与構造を有する場合や、本発明の光学素子に回折光学素子や光路差付与構造が組み合わされて用いられる場合は、上記態様に限られない。
【００２７】
なお、光ピックアップ装置において、光源は単一の場合もあれば、複数の場合もある。例えば、ＢＤとＨＤの互換を本発明の光学素子を用いて行なう場合は、波長が３８０ｎｍ以上、４５０ｎｍ以下の光束を射出する単一の光源を用いて、第１の対物レンズ部ではＢＤ、第２の対物レンズ部ではＨＤの記録及び／又は再生を行う様にしてもよい。また、ＤＶＤとＣＤの互換を本発明の光学素子を用いて行なう場合は、波長が６００ｎｍ以上、７００ｎｍ以下の光束を射出するＤＶＤ用の第１の光源と、波長が７３０ｎｍ以上、８００ｎｍ以下の光束を射出するＣＤ用の第２の光源の２種の光源を用いて、第１の光源と第１の対物レンズ部でＤＶＤ、第２の光源と第２の対物レンズ部でＣＤの記録及び／又は再生を行う様にしてもよい。さらには、ＢＤ，ＨＤ，ＤＶＤ，ＣＤの互換を本発明の光学素子を用いて行なう場合は、波長が３８０ｎｍ以上、４５０ｎｍ以下の光束を射出するＢＤ，ＨＤ用の第１の光源と、波長が６００ｎｍ以上、７００ｎｍ以下の光束を射出するＤＶＤ用の第２の光源と、波長が７３０ｎｍ以上、８００ｎｍ以下の光束を射出するＣＤ用の第３の光源の３種の光源を用いて、第１の光源と第１の対物レンズ部でＢＤ、第１の光源と第２の対物レンズ部でＨＤ、第２の光源と第２の対物レンズ部でＤＶＤ、第３の光源と第２の対物レンズ部でＣＤの記録及び／又は再生を行う様にしてもよい。
【００２８】
請求項２に記載の光ピックアップ装置用の光学素子は、請求項１に記載の発明において、前記第１の直径により定義される境界及び前記第２の直径により定義される境界とは、それぞれ前記第１の対物レンズ部および前記第２の対物レンズ部の光学面の最大有効径であることを特徴とする。
【００２９】
尚、最大有効径とは、一つの対物レンズ部において複数種類の光情報記録媒体を互換する場合は、複数の有効径のうち最も径が大きいものをいう。但し、一つの対物レンズ部において１種類の光情報記録媒体のみに対応している場合は、その有効径をいう。
【００３０】
請求項３に記載の光ピックアップ装置用の光学素子は、請求項１又は２に記載の発明において、前記第１光情報記録媒体は厚さがｔ１である保護基板を有しており、前記第２光情報記録媒体は厚さがｔ２（ｔ２＞ｔ１）である保護基板を有していることを特徴とする。
【００３１】
ここで、第１の対物レンズ部又は第２の対物レンズ部が、一つの対物レンズ部で複数の光情報記録媒体の記録・再生を行う互換レンズである場合、光情報記録媒体の保護基板の厚さｔ１又はｔ２は、互換レンズである一つの対物レンズ部で扱われる光情報記録媒体の保護基板の厚さのうち、最も薄いものをいうものとする。例えば、第１の対物レンズ部でＢＤの記録・再生を行い、第２の対物レンズ部でＨＤ，ＤＶＤ，ＣＤの記録・再生を行う場合、ｔ１はＢＤの保護基板の厚さをいい、ｔ２は、ＨＤ又はＤＶＤの保護基板の厚さをいう。
【００３２】
請求項４に記載の光ピックアップ装置用の光学素子は、請求項１〜３のいずれかに記載の発明において、前記第１径外領域を通過した光束は、前記第１径内領域を通過した光束により形成される集光スポットに対してオーバーフレアとなり、前記第２径外領域を通過した光束は、前記第２径内領域を通過した光束により形成される集光スポットに対してアンダーフレアとなることを特徴とする。
【００３３】
尚、「オーバーフレア」とは、図３（ａ）に示すような、近軸像点位置を原点とする縦球面収差図において、径外領域の光束が近軸像点よりも対物レンズ部から遠い位置で光軸と交わる状態をいい、「アンダーフレア」とは、図３（ｂ）に示すような、近軸像点位置を原点とする縦球面収差図において、径外領域の光束が近軸像点よりも対物レンズ部に近い位置で光軸と交わる状態をいう。
【００３４】
請求項５に記載の光ピックアップ装置用の光学素子は、請求項１〜４のいずれかに記載の発明において、以下の式のうち少なくとも一方を満たすことを特徴とする。
４°≦｜θi1 ―  θo1｜≦１８°      （２）
４°≦｜θi2 ―  θo2｜≦１８°      （３）
【００３５】
本発明によれば、不連続的に光学面の面法線角を適切な範囲で異ならせることで、不要な光をフレア光として十分に飛ばすことができるため、光ピックアップ装置が絞りを有していなくても、仕様ＮＡを満たし、光学性能も優れた、スポットを形成することができる。更に好ましくは、以下の式を満たすことである。
５°≦｜θi1 ―  θo1｜≦８°      （２’）
【００３６】
請求項６に記載の光ピックアップ装置用の光学素子は、請求項１〜５のいずれかに記載の発明において、前記第１径外領域と前記第２径外領域のうち少なくとも一方は屈折面であることを特徴とするので、加工工数を削減することができる。尚、第１径外領域と第２径外領域とが共に屈折面であってもよい。
【００３７】
請求項７に記載の光ピックアップ装置用の光学素子は、請求項１〜６のいずれかに記載の発明において、前記第１径外領域と前記第１径内領域とは連続していることを特徴とするので、加工性を向上できる。尚、「径外領域と径内領域が連続している」とは、径外領域と径内領域の間に余分な面が存在しないことを意味する。
【００３８】
請求項８に記載の光ピックアップ装置用の光学素子は、請求項１〜７のいずれかに記載の発明において、前記第２径外領域と前記第２径内領域とは連続していることを特徴とするので、加工性を向上させることができる。
【００３９】
請求項９に記載の光ピックアップ装置用の光学素子は、請求項１〜８のいずれかに記載の発明において、前記第１径外領域と前記第２径外領域のうち少なくとも一方は、回折構造を有することを特徴とするので、加工性を確保しながら、フレア光を十分に飛ばすことができる。又、前記径外領域に回折構造を設けることにより、より大きく径外領域の不要光を発散させることができ、不要光が光情報記録媒体の記録・再生に影響を及ぼすことをより防止できる。言い換えると、径外領域に回折構造を設けることにより、絞り効果をより高めることができる。
【００４０】
請求項１０に記載の光ピックアップ装置用の光学素子は、請求項１〜９のいずれかに記載の発明において、前記第１径内領域と前記第２径内領域のうち少なくとも一方は、回折構造を有することを特徴とするので、加工性を確保しながら、フレア光を十分に飛ばすことができる。又、前記径内領域に回折構造を設けることにより、一つの対物レンズ部で複数種類の光情報記録媒体の記録・再生を行える互換タイプの対物レンズ部とすることが可能となる。又は、径内領域に回折構造を設けることにより、温度変化（例えば±３０℃以内）や波長の僅かな変化（例えば±１０ｎｍ以内）に伴う球面収差の変動を補償することも可能となる。
【００４１】
請求項１１に記載の光ピックアップ装置用の光学素子は、請求項１〜１０のいずれかに記載の発明において、前記第１の対物レンズ部の前記第１の直径と、前記第２の対物レンズ部の前記第２の直径とは、略等しいことを特徴とする。尚、前記第１の対物レンズ部のある径と、前記第２の対物レンズ部のある径とが、略等しいとは、以下の条件式を満たすことをいう。
０．９５×Ｒ１≦Ｒ２≦１．０５×Ｒ１          （４）
但し、Ｒ１は、第１の対物レンズ部のある径（第１の直径）を示し、Ｒ２は、第２の対物レンズ部のある径（第２の直径）を示す。
【００４２】
請求項１２に記載の光ピックアップ装置用の光学素子は、請求項１〜１１のいずれかに記載の発明において、前記光源は、第１光源と第２光源の少なくとも２つの光源を有し、
前記第１光源は、波長λ１の光束を出射し、前記第２光源は、波長λ２（λ２＞λ１）の光束を出射し、
前記第１光情報記録媒体に対して情報記録及び／又は再生を行うときは、前記第１の光源を用い、
前記第２光情報記録媒体に対して情報記録及び／又は再生を行うときは、前記第２の光源を用いる光ピックアップ装置で用いられることを特徴とする。
【００４３】
請求項１３に記載の光ピックアップ装置は、光源と、請求項１〜１２のいずれかに記載の光ピックアップ装置用の光学素子を用いたことを特徴とする。本発明の光ピックアップ装置は、絞り機能を果たす部品が配置されないことが好ましい。光学素子の径外領域が絞りの役割を果たすため、そのような部品がなくても、好適な光学性能を確保できるからである。
【００４４】
請求項１４に記載の光ピックアップ装置は、請求項１３に記載の発明において、前記光ピックアップ装置は、前記光ピックアップ装置は、前記光学素子と前記光源の間の光路中にミラーが配置され、
前記第１光情報記録媒体の記録及び／又は再生を行う場合は、前記ミラーで反射された光束が、前記第１の対物レンズ部を通過し、
前記第２光情報記録媒体の記録及び／又は再生を行う場合は、前記ミラーで反射された光束が、前記第２の対物レンズを通過し、
前記第１の対物レンズ部によって前記第１光情報記録媒体の記録及び／又は再生を行う際の、前記ミラー面上での最大光束径と、前記第２の対物レンズ部によって前記第２光情報記録媒体の記録及び／又は再生を行う際の前記ミラー面上での最大光束径とが略等しいことを特徴とする。
【００４５】
ここで、ミラーは、所謂立ち上げミラーであることが好ましい。ミラー面上での最大光束径とは、第１の対物レンズ部又は第２の対物レンズ部が一つの対物レンズ部で複数種類の光情報記録媒体を互換する場合は、ミラー面上での光束径のうち最も径が大きいものをいう。但し、一つの対物レンズ部で１種類の光情報記録媒体のみの記録再生を行う場合は、その光束径とする。なお、ミラー面上での光束径は、第１の対物レンズ部と第２の対物レンズ部を有する光学素子の有効径を通過する光束のミラー面上での面領域の径のことをいう。前記第１の対物レンズを用いる際のミラー面上での最大光束径と、前記第２の対物レンズ部を用いる際のミラー面上での最大光束径とが、略等しいとは、以下の条件式を満たすことをいう。
０．９５×Ｒ１０≦Ｒ２０≦１．０５×Ｒ１０
但し、Ｒ１０は、第１の対物レンズ部を用いる際のミラー面上での最大光束径を示し、Ｒ２０は、第２の対物レンズ部を用いる際のミラー面上での最大光束径を示す。
【００４６】
請求項１５に記載の光ピックアップ装置用の光学素子は、単一又は複数の光源と、第１の対物レンズ部と第２の対物レンズ部とを一体的に形成した光学素子とを有し、前記光源からの光束を、前記第１の対物レンズ部を介して保護基板の厚さがｔ１である第１光情報記録媒体の情報記録面に集光させることにより、その情報記録面に対して情報の記録及び／又は再生が可能となっており、また前記第２の対物レンズ部を介して保護基板の厚さがｔ２（ｔ２＞ｔ１）である第２光情報記録媒体の情報記録面に集光させることにより、その情報記録面に対して情報の記録及び／又は再生が可能となっている光ピックアップ装置用の光学素子であって、前記第１の対物レンズ部の光学面は、第１の直径により定義される境界より光軸直交方向内側の第１径内領域と、前記第１の直径により定義される境界より光軸直交方向外側の第１径外領域とを有し、前記第１径内領域の外縁における面法線角度θi1は、前記第１径外領域の内縁における面法線角度θo1より大きくなっており、前記第２の対物レンズ部の光学面は、第２の直径により定義される境界より光軸直交方向内側の第２径内領域と、前記第２の直径により定義される境界の光軸直交方向外側の第２径外領域とを有し、前記第２径内領域の外縁における面法線角度θi2は、前記第２径外領域の内縁における面法線角度θo2より小さくなっていることを特徴とする。
【００４７】
尚、前記第１の対物レンズ部又は前記第２の対物レンズ部が、一つの対物レンズ部で複数の光情報記録媒体の記録・再生を行う互換レンズである場合、光情報記録媒体の保護基板の厚さｔ１又はｔ２は、互換レンズである一つの対物レンズ部で扱われる光情報記録媒体の保護基板の厚さのうち、最も薄いものをいうものとする。例えば、第１の対物レンズ部でＢＤの記録・再生を行い、第２の対物レンズ部でＨＤ，ＤＶＤ，ＣＤの記録・再生を行う場合、ｔ１はＢＤの保護基板の厚さをいい、ｔ２は、ＨＤ又はＤＶＤの保護基板の厚さをいう。
【００４８】
請求項１６に記載の光ピックアップ装置用の光学素子は、請求項１５に記載の発明において、前記第１の対物レンズ及び前記第２の対物レンズ部は、屈折面のみを有することを特徴とする。
【００４９】
請求項１７に記載の光ピックアップ装置は、請求項１５又は１６に記載の光ピックアップ装置の光学素子を用いたことを特徴とする。
【００５０】
請求項１８に記載の光ピックアップ装置は、請求項１７に記載の発明において、前記光ピックアップ装置は、前記光学素子と前記光源の間の光路中にミラーが配置され、前記第１光情報記録媒体の記録及び／又は再生を行う場合は、前記ミラーで反射された光束が、前記第１の対物レンズ部を通過し、前記第２光情報記録媒体の記録及び／又は再生を行う場合は、前記ミラーで反射された光束が、前記第２の対物レンズ部を通過し、前記第１の対物レンズ部によって前記第１光情報記録媒体の記録及び／又は再生を行う際の、前記ミラー面上での最大光束径と、前記第２の対物レンズ部によって前記第２光情報記録媒体の記録及び／又は再生を行う際の前記ミラー面上での最大光束径とが略等しいことを特徴とする。
【００５１】
請求項１９に記載の光ピックアップ装置用の光学素子は、単一又は複数の光源と、第１のカップリングレンズ部と第２のカップリングレンズ部とを一体的に形成した光学素子と、単一又は複数の対物光学素子とを有し、前記光源からの光束を、前記第１のカップリングレンズ部及び前記対物光学素子を介して第１光情報記録媒体の情報記録面に集光させることにより、その情報記録面に対して情報の記録及び／又は再生が可能となっており、また前記第２のカップリングレンズ部及び前記対物光学素子を介して第２光情報記録媒体の情報記録面に集光させることにより、その情報記録面に対して情報の記録及び／又は再生が可能となっている光ピックアップ装置用の光学素子であって、前記第１のカップリングレンズ部の光学面は、第１の直径により定義される境界より光軸直交方向内側の第１径内領域と、前記第１の直径により定義される境界より光軸直交方向外側の第１径外領域とを有し、前記第１径内領域の外縁における面法線角度θi1は、前記第１径外領域の内縁における面法線角度θo1より大きくなっており、前記第２のカップリングレンズ部の光学面は、第２の直径により定義される境界より光軸直交方向内側の第２径内領域と、前記第２の直径により定義される境界より光軸直交方向外側の第２径外領域とを有し、前記第２径内領域の外縁における面法線角度θi2は、前記第２径外領域の内縁における面法線角度θo2より小さくなっており、以下の条件式を満たすことを特徴とする。
Ｌ１＞Ｌ２          （１）
但し、Ｌ１は、前記第１のカップリングレンズ部の面頂点より、前記第１の直径により定義される境界までの光軸方向の距離を表し、Ｌ２は、前記第２のカップリングレンズ部の面頂点より、前記第２の直径により定義される境界までの光軸方向の距離を表すものとする。
【００５２】
請求項２０に記載の光ピックアップ装置は、請求項１９に記載の光ピックアップ装置の光学素子を用いたことを特徴とする。
【００５３】
請求項２１に記載の光ピックアップ装置用の光学素子は、単一又は複数の光源と、第１のカップリングレンズ部と第２のカップリングレンズ部とを一体的に形成した光学素子と、単一又は複数の対物光学素子を有し、前記光源からの光束を、前記第１のカップリングレンズ部及び前記対物光学素子を介して保護基板の厚さがｔ１である第１光情報記録媒体の情報記録面に集光させることにより、その情報記録面に対して情報の記録及び／又は再生が可能となっており、また前記第２のカップリングレンズ部及び前記対物光学素子を介して保護基板の厚さがｔ２（ｔ２＞ｔ１）である第２光情報記録媒体の情報記録面に集光させることにより、その情報記録面に対して情報の記録及び／又は再生が可能となっている光ピックアップ装置用の光学素子であって、前記第１のカップリングレンズ部の光学面は、第１の直径により定義される境界より光軸直交方向内側の第１径内領域と、前記第１の直径により定義される境界より光軸直交方向外側の第１径外領域とを有し、
前記第１径内領域の外縁における面法線角度θi1は、前記第１径外領域の内縁における面法線角度θo1より大きくなっており、前記第２のカップリングレンズ部の光学面は、第２の直径により定義される境界より光軸直交方向内側の第２径内領域と、前記第２の直径により定義される境界より光軸直交方向外側の第２径外領域とを有し、前記第２径内領域の外縁における面法線角度θi2は、前記第２径外領域の内縁における面法線角度θo2より小さくなっていることを特徴とする。
【００５４】
請求項１９及び請求項２１に規定する光学素子は、対物レンズではなく、コリメータレンズ等のカップリングレンズである。請求項１９及び請求項２１に規定する光学素子は、対物レンズではない事、及び、コリメータレンズ等のカップリングレンズである事を除いて、請求項１及び請求項１５に規定する光学素子と、本質的には同様である。よって、請求項１９及び請求項２１に規定する光学素子についても、図１や図２における説明を同様に適用することができる。尚、カップリングレンズとは、光源と対物光学素子の間に配置され、光束の発散度を変更するレンズのことをいう。コリメータレンズとは、カップリングレンズの一種であって、入射した光束を平行光にして射出するレンズをいう。
【００５５】
請求項２２に記載の光ピックアップ装置は、請求項２１に記載の光ピックアップ装置の光学素子を用いたことを特徴とする。
【００５６】
本発明の光学素子は、プラスチックからなっていても、ガラスからなっていてもよいが、プラスチックからなっていることが好ましい。また、二つのレンズを嵌合して一体とする場合は、ガラスとプラスチックの組み合わせでもよい。
【発明の効果】
【００５７】
本発明によれば、２つのレンズを一体的に形成してなる光ピックアップ装置用の光学素子を用いて、異なる光ディスクに対して情報の記録及び／又は再生を行う事を可能とし、しかも、有効径を二つのレンズ部で同寸とすることで、光ピックアップ装置を更にコンパクトにでき、フランジ厚を同じにする事により、成形を行ないやすくし、更に、光ピックアップ装置に別途の絞り機能を有する部品を設ける事を不要とできる光ピックアップ装置を提供することができる。
【発明を実施するための最良の形態】
【００５８】
以下、本発明の実施の形態について図面を用いて説明する。尚、本実施の形態にかかる光ピックアップ装置ＰＵ１は、光ディスクドライブ装置に組み込むことが可能である。
【００５９】
図４は、ＤＶＤとＣＤとの何れに対しても適切に情報の記録／再生を行える光ピックアップ装置ＰＵ１の構成を概略的に示す図である。ＤＶＤの光学的仕様は、波長λ２＝６５５ｎｍ、保護基板ＰＬ３の厚さｔ３＝０．６ｍｍ、開口数ＮＡ３＝０．６５であり、ＣＤの光学的仕様は、波長λ４＝７８５ｎｍ、保護基板ＰＬ４の厚さｔ４＝１．２ｍｍ、開口数ＮＡ４＝０．５１である。但し、波長、保護層の厚さ、及び開口数の組合せはこれに限られない。 
【００６０】
光ピックアップ装置ＰＵ１は、ＤＶＤに対して情報の記録／再生を行う場合に発光され６５５ｎｍの赤色レーザ光束（第１光束）を射出する第１の発光点ＥＰ１（第１光源）と、ＣＤに対して情報の記録／再生を行う場合に発光され７８５ｎｍのレーザ光束（第２光束）を射出する第２の発光点ＥＰ２（第２光源）と、ＤＶＤの情報記録面ＲＬ３からの反射光束を受光する第１の受光部ＤＳ１と、ＣＤの情報記録面ＲＬ４からの反射光束を受光する第２の受光部ＤＳ２と、プリズムＰＳとから構成されたレーザモジュールＬＭを有している。又、光学素子ＯＥは、図１，２に示すものと同様な形状を有する第１の対物レンズ部ＯＬ１と第２の対物レンズ部ＯＬ２とを一体的に形成してなり、アクチュエータＡＣ１に駆動され移動可能となっている保持部材Ｈにより保持されている。第１の対物レンズ部ＯＬ１と第２の対物レンズ部ＯＬ２の光学面は屈折面のみからなるが、回折構造を設けても良い。
【００６１】
光ピックアップ装置ＰＵ１において、ＤＶＤに対して情報の記録／再生を行う場合には、図４に示す位置に保持部材Ｈを移動させ、第１の対物レンズ部ＯＬ１を光路内に挿入し、第１の発光点ＥＰ１を発光させる。第１の発光点ＥＰ１から射出された発散光束は、図４において実線でその光線経路を描いたように、コリメータＣＯＬにより平行光束に変換され、第１の対物レンズ部ＯＬ１に平行光の状態で入射した後、第１有効径内領域を通過した光束は、ＤＶＤの保護基板ＰＬ３を介して情報記録面ＲＬ３上に形成されるスポットとなるが、第１有効径外領域を通過した光束はフレア光となるので、これにより絞り機能が発揮される。第１の対物レンズ部ＯＬ１は、２軸アクチュエータＡＣ１によって保持部材Ｈごと駆動されフォーカシングやトラッキングを行う。なお、本実施例では、対物レンズ部が移動する構成となっているが、対物レンズ部を固定し、光源ごとに光路を異ならせるようにしても良い。
【００６２】
情報記録面ＲＬ３で情報ピットにより変調された反射光束は、再び第１の対物レンズ部ＯＬ１及びコリメータＣＯＬを透過した後、レーザモジュールＬＭに入射し、その後、プリズム内で２回反射された後、第１の受光部ＤＳ１に収束する。そして、第１の受光部ＤＳ１の出力信号を用いてＤＶＤに記録された情報を読み取ることができる。
【００６３】
光ピックアップ装置ＰＵ１において、ＣＤに対して情報の記録／再生を行う場合には、図４に示す位置から保持部材Ｈを上方に移動させ、第２の対物レンズ部ＯＬ２を光路内に挿入し、且つコリメータＣＯＬを１軸アクチュエータＡＣ２により光軸方向に移動させ、第２の発光点ＥＰ２を発光させる。第２の発光点ＥＰ２から射出された発散光束は、図４においてその光線経路は図示されていないが、コリメータＣＯＬにより弱発散光束に変換され、第２の対物レンズ部ＯＬ２に有限発散光束の状態で入射した後、第２有効径内領域を通過した光束は、ＣＤの保護基板ＰＬ４を介して情報記録面ＲＬ４上に形成されるスポットとなるが、第２有効径外領域を通過した光束はアンダーのフレア光となるので、これにより絞り機能が発揮される。対物レンズ部ＯＬ２は、２軸アクチュエータＡＣ１によって保持部材Ｈごと駆動されフォーカシングやトラッキングを行う。 
【００６４】
情報記録面ＲＬ４で情報ピットにより変調された反射光束は、再び第２の対物レンズ部ＯＬ２及びコリメータＣＯＬを透過した後、レーザモジュールＬＭに入射し、その後、プリズム内で２回反射された後、第２の受光部ＤＳ２に収束する。そして、第２の受光部ＤＳ２の出力信号を用いてＣＤに記録された情報を読み取ることができる。
【００６５】
つまり、第１の対物レンズ部ＯＬ１において、ＤＶＤ使用時には、図２に示すＥＯ１のように形成されている有効径外の領域を通過した光はフレア光となる。また、第２の対物レンズ部ＯＬ２において、ＣＤ使用時には、図２に示すＥＯ２のように形成されている有効径外の領域を通過した光はフレア光となる。なお、第１の対物レンズ部ＯＬ１と第２の対物レンズ部ＯＬ２の有効径は同一となるよう設定されている。
【００６６】
図６は、ＢＤとＨＤとＤＶＤとＣＤとの何れに対しても適切に情報の記録／再生を行える光ピックアップ装置ＰＵ２の構成を概略的に示す図である。ＢＤの光学的仕様は、波長λ１＝４０７ｎｍ、保護基板ＰＬ１の厚さｔ１＝０．１ｍｍ、開口数ＮＡ１＝０．８５であり、ＨＤの光学的仕様は、波長λ１＝４０７ｎｍ、保護基板ＰＬ２の厚さｔ２＝０．６ｍｍ、開口数ＮＡ２＝０．６５であり、ＤＶＤの光学的仕様は、波長λ２＝６５５ｎｍ、保護基板ＰＬ３の厚さｔ３＝０．６ｍｍ、開口数ＮＡ３＝０．６５であり、ＣＤの光学的仕様は、波長λ４＝７８５ｎｍ、保護基板ＰＬ４の厚さｔ４＝１．２ｍｍ、開口数ＮＡ４＝０．５１である。但し、波長、保護層の厚さ、及び開口数の組合せはこれに限られない。 
【００６７】
光ピックアップ装置ＰＵ２は、ＢＤ及びＨＤに対して情報の記録／再生を行う場合に発光され４０７ｎｍの青紫色レーザ光束（第１光束）を射出する第１の発光点ＥＰ１（第１光源）と、ＤＶＤに対して情報の記録／再生を行う場合に発光され６５５ｎｍのレーザ光束（第２光束）を射出する第２の発光点ＥＰ２（第２光源）と、ＢＤ、ＨＤの情報記録面ＲＬ１、ＲＬ２からの反射光束を受光する第１の受光部ＤＳ１と、ＤＶＤの情報記録面ＲＬ３からの反射光束を受光する第２の受光部ＤＳ２と、プリズムＰＳとから構成されたレーザモジュールＬＭ、及びＣＤに対して情報の記録／再生を行う場合に発光され７８５ｎｍのレーザ光束（第３光束）を射出する第３の光源と、光検出器とを一体化した発光部・受光部一体型光源ユニットであるホログラムレーザＨＬを有している。又、光学素子ＯＥは、図１，２に示すものと同様な形状を有する第１の対物レンズ部ＯＬ１と第２の対物レンズ部ＯＬ２とを一体的に形成してなり、アクチュエータＡＣ１に駆動され移動可能となっている保持部材Ｈにより保持されている。尚、第２の対物レンズ部ＯＬの光学面の有効径内には、ＨＤ、ＤＶＤ、ＣＤについて互換用の回折構造が形成されていてもよい。また、第１の対物レンズ部又は第２の対物レンズ部に温度変化、湿度変化時に球面収差を補償するような回折構造を設けてもよい。また、第２の対物レンズ部ＯＬ２の有効径は、ＣＤが最も小さく、次にＨＤ、もっとも大きいのがＤＶＤとなる。そこで、第２の対物レンズ部ＯＬ２の光学面の有効径内とは、ＤＶＤ用の有効径内、即ち、最大有効径内をいう。この最大有効径内であって、ＨＤの有効径外の領域においては、ＨＤやＣＤの記録・再生を行う際に、この領域を通過する光束をフレア光として飛ばすような回折構造を設けてもよい。また、ＨＤ用の有効径内であって、ＣＤ用の有効径外の領域においては、ＣＤの記録・再生を行う際に、この領域を通過する光束をフレア光として飛ばすような回折構造を設けてもよい。
【００６８】
光ピックアップ装置ＰＵ２において、ＢＤに対して情報の記録／再生を行う場合には、図６に示す位置に保持部材Ｈを移動させ、第１の対物レンズ部ＯＬ１を光路内に挿入し、第１の発光点ＥＰ１を発光させる。第１の発光点ＥＰ１から射出された発散光束は、図６において実線でその光線経路を描いたように、コリメータＣＯＬにより平行光束に変換され、ビームスプリッタＢＳを通過し、第１の対物レンズ部ＯＬ１に平行光の状態で入射した後、第１有効径内領域を通過した光束は、ＢＤの保護基板ＰＬ１を介して情報記録面ＲＬ１上に形成されるスポットとなるが、第１有効径外領域を通過した光束はオーバーのフレア光となるので、これにより絞り機能が発揮される。第１の対物レンズ部ＯＬ１は、２軸アクチュエータＡＣ１によって保持部材Ｈごと駆動されフォーカシングやトラッキングを行う。
【００６９】
情報記録面ＲＬ１で情報ピットにより変調された反射光束は、再び第１の対物レンズ部ＯＬ１、ビームスプリッタＢＳ及びコリメータＣＯＬを透過した後、レーザモジュールＬＭに入射し、その後、プリズム内で２回反射された後、第１の受光部ＤＳ１に収束する。そして、第１の受光部ＤＳ１の出力信号を用いてＢＤに記録された情報を読み取ることができる。ＢＤの記録・再生時の温度変化により生じる球面収差や、２層ディスク使用による球面収差はコリメータＣＯＬを駆動させて補正する。
【００７０】
光ピックアップ装置ＰＵ２において、ＨＤに対して情報の記録／再生を行う場合には、図６に示す位置から保持部材Ｈを上方に移動させ、第２の対物レンズ部ＯＬ２を光路内に挿入し、第１の発光点ＥＰ１を発光させる。第１の発光点ＥＰ１から射出された発散光束は、図６においてその光線経路は省略されているが、コリメータＣＯＬにより平行光束に変換され、ビームスプリッタＢＳを通過し、第２の対物レンズ部ＯＬ２に平行光の状態で入射した後、ＨＤの保護基板ＰＬ２を介して情報記録面ＲＬ２上に形成されるスポットとなる。なお、第２有効径内領域であっても、ＨＤの有効径外の領域を通過した光束は回折構造の機能などによりフレア光となる。又、第２有効径外領域を通過した光束はフレア光となるので、これにより絞り機能が発揮される。第２の対物レンズ部ＯＬ２は、２軸アクチュエータＡＣ１によって保持部材Ｈごと駆動されフォーカシングやトラッキングを行う。 
【００７１】
情報記録面ＲＬ２で情報ピットにより変調された反射光束は、再び第２の対物レンズ部ＯＬ２、ビームスプリッタＢＳ及びコリメータＣＯＬを透過した後、レーザモジュールＬＭに入射し、その後、プリズム内で２回反射された後、第１の受光部ＤＳ１に収束する。そして、第１の受光部ＤＳ１の出力信号を用いてＨＤに記録された情報を読み取ることができる。
【００７２】
尚、第２の対物レンズ部ＯＬ２において、ＨＤにかかる有効径のほうが、ＤＶＤにかかる有効径に比して小さくなる。即ち、ＨＤ使用時には、ＤＶＤのみに使用する回折面である光学面領域によってフレア光が発生させられ、ＤＶＤの際には、最大有効径外領域を通過する光がアンダー側のフレア光となり、これにより絞り機能が発揮されることになる。
【００７３】
光ピックアップ装置ＰＵ２において、ＤＶＤに対して情報の記録／再生を行う場合には、図６に示す位置から保持部材Ｈを上方に移動させ、第２の対物レンズ部ＯＬ２を光路内に挿入し、且つコリメータＣＯＬを１軸アクチュエータＡＣ２により光軸方向に移動させ、第２の発光点ＥＰ２を発光させる。第２の発光点ＥＰ２から射出された発散光束は、図６において実線でその光線経路を描いたように、コリメータＣＯＬにより弱発散光束に変換され、ビームスプリッタＢＳを通過し、第２の対物レンズ部ＯＬ２に有限発散光束の状態で入射した後、第２有効径内領域（最大有効径内領域）を通過した光束はＤＶＤの保護基板ＰＬ３を介して情報記録面ＲＬ３上に形成されるスポットとなる。また、第２有効径外領域を通過した光束はアンダーのフレア光となるので、これにより絞り機能が発揮される。対物レンズ部ＯＬ２は、２軸アクチュエータＡＣ１によって保持部材Ｈごと駆動されフォーカシングやトラッキングを行う。 
【００７４】
情報記録面ＲＬ３で情報ピットにより変調された反射光束は、再び第２の対物レンズ部ＯＬ２、ビームスプリッタＢＳ及びコリメータＣＯＬを透過した後、レーザモジュールＬＭに入射し、その後、プリズム内で２回反射された後、第２の受光部ＤＳ２に収束する。そして、第２の受光部ＤＳ２の出力信号を用いてＤＶＤに記録された情報を読み取ることができる。
【００７５】
光ピックアップ装置ＰＵ２において、ＣＤに対して情報の記録／再生を行う場合には、図６に示す位置から保持部材Ｈを図で上方へと移動させ、第２の対物レンズ部ＯＬ２を光路内に挿入し、ホログラムレーザＨＬを発光させる。ホログラムレーザＨＬから射出された発散光束は、図６において点線でその光線経路を描いたように、ビームスプリッタＢＳで反射され、第２の対物レンズ部ＯＬ２に有限発散光束の状態で入射した後、そこからＣＤの保護基板ＰＬ４を介して情報記録面ＲＬ４上に形成されるスポットとなる。なお、第２有効径内領域であっても、ＣＤの有効径外の領域の光は回折構造の機能などによりフレア光となる。また、第２有効径外領域を通過した光束はアンダーのフレア光となるので、これにより絞り機能が発揮される。第２の対物レンズ部ＯＬ２は、２軸アクチュエータＡＣ１によって保持部材Ｈごと駆動されフォーカシングやトラッキングを行う。 
【００７６】
情報記録面ＲＬ４で情報ピットにより変調された反射光束は、再び第２の対物レンズ部ＯＬ２、ビームスプリッタＢＳで反射された後、ホログラムレーザＨＬに入射し、光検出器の受光面に収束する。そして、光検出器の出力信号を用いてＣＤに記録された情報を読み取ることができる。
【００７７】
図１１は、コリメータレンズＣＯＬと光学素子ＯＥとの間の光路中に立ち上げミラーＭＬ１が配置され、ＤＶＤとＣＤとの何れに対しても適切に情報の記録／再生を行える光ピックアップ装置ＰＵ３の構成を概略的に示す図である。立ち上げミラーＭＬ１を除いた構成は、図４に示すＰＵ１の構成と同じであるため省略する。
【００７８】
光ピックアップ装置ＰＵ３において、ＤＶＤに対して情報の記録／再生を行う場合には、図１１に示す位置に保持部材Ｈを移動させ、第１の対物レンズ部ＯＬ１を光路内に挿入し、第１の発光点ＥＰ１を発光させる。第１の発光点ＥＰ１から射出された発散光束は、図１１において実線でその光線経路を描いたように、コリメータＣＯＬにより平行光束に変換された後、立ち上げミラーＭＬ１で反射され、第１の対物レンズ部ＯＬ１に平行光の状態で入射した後、第１有効径内領域を通過した光束は、ＤＶＤの保護基板ＰＬ３を介して情報記録面ＲＬ３上に形成されるスポットとなるが、第１有効径外領域を通過した光束はオーバーのフレア光となるので、これにより絞り機能が発揮される。
【００７９】
情報記録面ＲＬ３で情報ピットにより変調された反射光束は、再び第１の対物レンズ部ＯＬ１を通過し、立ち上げミラーＭＬ１で反射され、コリメータＣＯＬを透過した後、レーザモジュールＬＭに入射し、その後、プリズム内で２回反射された後、第１の受光部ＤＳ１に収束する。そして、第１の受光部ＤＳ１の出力信号を用いてＤＶＤに記録された情報を読み取ることができる。
【００８０】
光ピックアップ装置ＰＵ３において、ＣＤに対して情報の記録／再生を行う場合には、図１１に示す位置から保持部材Ｈを左方に移動させ、第２の対物レンズ部ＯＬ２を光路内に挿入し、且つコリメータＣＯＬを１軸アクチュエータＡＣ２により光軸方向に移動させ、第２の発光点ＥＰ２を発光させる。第２の発光点ＥＰ２から射出された発散光束は、図１１においてその光線経路は図示されていないが、コリメータＣＯＬにより弱発散光束に変換され、立ち上げミラーＭＬ１で反射し、第２の対物レンズ部ＯＬ２に有限発散光束の状態で入射した後、第２有効径内領域を通過した光束は、ＣＤの保護基板ＰＬ４を介して情報記録面ＲＬ４上に形成されるスポットとなるが、第２有効径外領域を通過した光束はアンダーのフレア光となるので、これにより絞り機能が発揮される。 
【００８１】
情報記録面ＲＬ４で情報ピットにより変調された反射光束は、再び第２の対物レンズ部ＯＬ２を透過し、立ち上げミラーＭＬ１で反射し、コリメータＣＯＬを透過した後、レーザモジュールＬＭに入射し、その後、プリズム内で２回反射された後、第２の受光部ＤＳ２に収束する。そして、第２の受光部ＤＳ２の出力信号を用いてＣＤに記録された情報を読み取ることができる。
【００８２】
つまり、第１の対物レンズ部ＯＬ１において、ＤＶＤ使用時には、図２に示すＥＯ１のように形成されている有効径外の領域を通過した光はフレア光となる。また、第２の対物レンズ部ＯＬ２において、ＣＤ使用時には、図２に示すＥＯ２のように形成されている有効径外の領域を通過した光はフレア光となる。なお、第１の対物レンズ部ＯＬ１と第２の対物レンズ部ＯＬ２の有効径は同一となるよう設定されている。
【００８３】
尚、第１の対物レンズ部ＯＬ１によってＤＶＤの記録及び／又は再生を行う際の立ち上げミラーＭＬ１面上での最大光束径と、第２の対物レンズ部ＯＬ２によってＣＤの記録及び／又は再生を行う際の立ち上げミラーＭＬ１面上での最大光束径とは略等しい。尚、ＤＶＤにおいてもＣＤにおいても対物レンズ部に対する倍率が略等しい時に、立ち上げミラー面上での最大光束径が略等しいことがより好ましい。
【００８４】
次に図１２は、コリメータレンズとして本発明の光学素子を用いたＰＵ４の構成を示す概略図である。
【００８５】
光ピックアップ装置ＰＵ４は、ＤＶＤに対して情報の記録／再生を行う場合に発光され６５５ｎｍの赤色レーザ光束（第１光束）を射出する第１の半導体レーザ（第１光源）と、ＤＶＤの情報記録面ＲＬ３からの反射光束を受光する第１の受光部とを一体化したレーザモジュールＬＤ１と、ＣＤに対して情報の記録／再生を行う場合に発光され７８５ｎｍのレーザ光束（第２光束）を射出する第２の半導体レーザ（第２光源）と、ＣＤの情報記録面ＲＬ４からの反射光束を受光する第２の受光部とを一体化したレーザモジュールＬＤ２とを有している。又、光学素子ＯＥは、図１，２に示すものと同様な形状を有する第１の対物レンズ部ＯＬ１と第２の対物レンズ部ＯＬ２とを一体的に形成してなり、図示しないアクチュエータに駆動され移動可能となっている。第１の対物レンズ部ＯＬ１と第２の対物レンズ部ＯＬ２の光学面は屈折面のみからなるが、回折構造を設けても良い。
【００８６】
さらに、光ピックアップ装置ＰＵ４は、第１のコリメータレンズ部ＣＯＬ１と第２のコリメータレンズ部ＣＯＬ２とを一体的に形成してなる光学素子ＯＥ２を有する。この光学素子ＯＥ２の基本原理は、図１，２に示すものと同様であり、第１のコリメータレンズ部ＣＯＬ１の光学面は、ＤＶＤの有効径を境界として、当該有効径より光軸直交方向内側の第１径内領域と、当該有効径より光軸直交方向外側の第１径外領域とを有し、第１径内領域の外縁における面法線角度θi1は、第１径外領域の内縁における面法線角度θo1より大きくなっており、第２のコリメータレンズ部ＣＯＬ２の光学面は、当該有効径を境界として、当該有効径より光軸直交方向内側の第２径内領域と、当該有効径より光軸直交方向外側の第２径外領域とを有し、第２径内領域の外縁における面法線角度θi2は、第２径外領域の内縁における面法線角度θo2より小さくなっている。また、Ｌ１を、第１のコリメータレンズ部ＣＯＬ１の面頂点より、当該有効径までの光軸方向の距離とし、Ｌ２を、第２のコリメータレンズ部ＣＯＬ２の面頂点より、当該有効径までの光軸方向の距離とする場合、Ｌ１＞Ｌ２を満たす。本実施例において、光学素子ＯＥは第１の対物レンズ部と第２の対物レンズ部を一体成形したものとせずに、それぞれ別体の光学素子としてもよい。
【００８７】
光ピックアップ装置ＰＵ４において、ＤＶＤに対して情報の記録／再生を行う場合には、第１の光源ＬＤ１を発光させる。第１の光源ＬＤ１から射出された発散光束は、コリメータＣＯＬ１により平行光束に変換される。コリメータＣＯＬ１の第１径外領域を通過した光束はオーバーのフレア光となるので、これにより絞り機能が発揮される。コリメータＣＯＬ１の第１径内領域を通過した光束は平行光とされ、立ち上げミラーＭＬ１で反射される。反射光は、第１の対物レンズ部ＯＬ１に平行光の状態で入射した後、第１有効径内領域を通過した光束は、ＤＶＤの保護基板ＰＬ３を介して情報記録面ＲＬ３上に形成されるスポットとなるが、第１有効径外領域を通過した光束はオーバーのフレア光となるので、これにより絞り機能が発揮される。第１の対物レンズ部ＯＬ１は、図示しない２軸アクチュエータによって駆動されフォーカシングやトラッキングを行う。
【００８８】
情報記録面ＲＬ３で情報ピットにより変調された反射光束は、再び第１の対物レンズ部ＯＬ１を透過し、立ち上げミラーＭＬ１で反射され、コリメータＣＯＬ１を透過した後、第１の受光部ＬＤ１に収束する。そして、第１の受光部ＬＤ１の出力信号を用いてＤＶＤに記録された情報を読み取ることができる。
【００８９】
光ピックアップ装置ＰＵ４において、ＣＤに対して情報の記録／再生を行う場合には、第２の光源ＬＤ２を発光させる。第２の光源ＬＤ２から射出された発散光束は、コリメータＣＯＬ２により平行光束に変換される。コリメータＣＯＬ２の第２径外領域を通過した光束はアンダーのフレア光となるので、これにより絞り機能が発揮される。コリメータＣＯＬ２の第２径内領域を通過した光束は平行光とされ、立ち上げミラーＭＬ２で反射される。反射光は、第２の対物レンズ部ＯＬ２に平行光の状態で入射した後、第２有効径内領域を通過した光束は、ＣＤの保護基板ＰＬ４を介して情報記録面ＲＬ４上に形成されるスポットとなるが、第２有効径外領域を通過した光束はアンダーのフレア光となるので、これにより絞り機能が発揮される。第２の対物レンズ部ＯＬ２は、図示しない２軸アクチュエータによって駆動されフォーカシングやトラッキングを行う。
【００９０】
情報記録面ＲＬ４で情報ピットにより変調された反射光束は、再び第２の対物レンズ部ＯＬ２を透過し、立ち上げミラーＭＬ２で反射され、コリメータＣＯＬ２を透過した後、第２の受光部ＬＤ２に収束する。そして、第２の受光部ＬＤ２の出力信号を用いてＣＤに記録された情報を読み取ることができる。
【００９１】
尚、図１２においては、コリメータレンズとして第１のコリメータレンズ部と第２のコリメータレンズ部とを一体的に形成した光学素子を用い、対物レンズとしても第１の対物レンズ部と第２の対物レンズ部とを一体的に形成した光学素子を用いている。また、コリメータレンズとしては、図１２のＯＥ２と同様に第１のコリメータレンズ部と第２のコリメータレンズ部とを一体的に形成したものを用い、一方、対物レンズとしては、一体的に形成されていない別体の第１の対物レンズと第２の対物レンズとを用いてもよい。この態様の場合、コリメータレンズと対物レンズとの光軸直交方向の位置合わせにおいて自由度が増すという点で好ましい。
【００９２】
（実施例）
以下、上述した光ピックアップ装置に用いる光学素子に好適な実施例について説明する。尚、これ以降（表のレンズデータ含む）において、１０のべき乗数（例えば、２．５×１０-3）を、Ｅ（例えば、２．５Ｅ―３）を用いて表すものとする。
【００９３】
第１の対物レンズ部及び第２の対物レンズ部の光学面は、それぞれ数１式に、表に示す係数を代入した数式で規定される、光軸の周りに軸対称な非球面に形成されている。
【００９４】
【数１】
2008135153.tif 000003
【００９５】
ここで、ここで、Ｘ（ｈ）は光軸方向の軸（光の進行方向を正とする）、κは円錐係数、Ｂ2iは非球面係数、ｈは光軸からの高さである。 
【００９６】
また、回折構造（位相構造）を用いた実施例の場合、その回折構造により各波長の光束に対して与えられる光路差は、数２式の光路差関数に、表に示す係数を代入した数式で規定される。
【００９７】
【数２】
2008135153.tif 000004
【００９８】
λは入射光束の波長、λＢは製造波長（ブレーズ化波長）、ｄｏｒは回折次数、Ｃ2iは光路差関数の係数である。
【００９９】
（実施例１）
実施例１は、上述の光ピックアップ装置ＰＵ１，ＰＵ３及びＰＵ４に好適に用いられる。実施例１にかかる第１の対物レンズ部のレンズデータを表１に示し、第２の対物レンズ部のレンズデータを表２に示す。図７（ａ）は、実施例１の第１の対物レンズ部の縦球面収差図であり、図７（ｂ）は、実施例１の第２の対物レンズ部の縦球面収差図であり、それぞれ縦軸は有効径で規格化（有効径の最大値を縦軸の１とすること、以下同じ）している。
【０１００】
【表１】
2008135153.tif 000005
【０１０１】
【表２】
2008135153.tif 000006
【０１０２】
（実施例２）
実施例２は、上述の光ピックアップ装置ＰＵ２に好適に用いられる。実施例２にかかる第１の対物レンズ部のレンズデータを表３に示し、第２の対物レンズ部のレンズデータを表４に示す。図８（ａ）は、実施例２の第１の対物レンズ部の縦球面収差図であり、図８（ｂ）は、実施例２の第２の対物レンズ部の縦球面収差図であり、それぞれ縦軸は有効径で規格化している。
【０１０３】
【表３】
2008135153.tif 000007
【０１０４】
【表４】
2008135153.tif 000008
【０１０５】
（実施例３）
実施例３は、上述の光ピックアップ装置ＰＵ２に好適に用いられる。実施例３にかかる第１の対物レンズ部のレンズデータを表５に示し、第２の対物レンズ部のレンズデータを表６に示す。図９（ａ）は、実施例３の第１の対物レンズ部の縦球面収差図であり、図９（ｂ）は、実施例３の第２の対物レンズ部の縦球面収差図であり、それぞれ縦軸は有効径で規格化している。
【０１０６】
【表５】
2008135153.tif 000009
【０１０７】
【表６】
2008135153.tif 000010
【０１０８】
各実施例における緒値（式（１）〜（３）にかかる値を含む）を表７にまとめて示す。
【０１０９】
【表７】
2008135153.tif 000011
【０１１０】
尚、図１０に示すように、光学素子ＯＥを光軸方向から見た際に、フランジ部ＦＬは向かい合う辺同士が２組とも平行になっている部分を有することが、ボビンや鏡枠への取り付けの精度を向上させるという点で好ましい。
【図面の簡単な説明】
【０１１１】
【図１】本発明にかかる光学素子ＯＥの一例を示す斜視図である。
【図２】図１に示す光学素子ＯＥの光軸直交方向断面図である。
【図３】図３（ａ）は、第１光情報記録媒体使用時における第１の対物レンズＯＬ１を通過した光束についての縦球面収差図の例であり、図３（ｂ）は、第２光情報記録媒体使用時における第２の対物レンズＯＬ２を通過した光束についての縦球面収差図の例である。
【図４】第１の光ピックアップ装置ＰＵ１の構成を概略的に示す図である。
【図５】Ｌ１，Ｌ２を説明するための図である。
【図６】第２光ピックアップ装置ＰＵ２の構成を概略的に示す図である。
【図７】実施例１にかかる縦球面収差図である。
【図８】実施例２にかかる縦球面収差図である。
【図９】実施例３にかかる縦球面収差図である。
【図１０】光学素子ＯＥの斜視図である。
【図１１】第３光ピックアップ装置ＰＵ２の構成を概略的に示す図である。
【図１２】第４光ピックアップ装置ＰＵ２の構成を概略的に示す図である。
【符号の説明】
【０１１２】
ＡＣ１ ２軸アクチュエータ
ＡＣ２ １軸アクチュエータ
ＢＳ ビームスプリッタ
ＣＯＬ コリメータ
Ｄ 回折構造
ＤＳ１ 第１受光部
ＤＳ２ 第２受光部
ＥＰ１ 第１発光点
ＥＰ２ 第２発光点
Ｈ 保持部材
ＨＬ ホログラムレーザ
ＬＭ レーザモジュール
ＯＬ１ 対物光学素子
ＯＬ２ 対物光学素子
ＰＬ１ 保護基板
ＰＬ２ 保護基板
ＰＬ３ 保護基板
ＰＬ４ 保護基板
ＰＳ プリズム
ＰＵ１ 第１光ピックアップ装置
ＰＵ２ 第２光ピックアップ装置
ＰＵ３ 第３光ピックアップ装置
ＰＵ４ 第４光ピックアップ装置
ＲＬ１ 情報記録面
ＲＬ２ 情報記録面
ＲＬ３ 情報記録面
ＲＬ４ 情報記録面
【図１】
2008135153.tif 000012
【図２】
2008135153.tif 000013
【図３】
2008135153.tif 000014
【図４】
2008135153.tif 000015
【図５】
2008135153.tif 000016
【図６】
2008135153.tif 000017
【図７】
2008135153.tif 000018
【図８】
2008135153.tif 000019
【図９】
2008135153.tif 000020
【図１０】
2008135153.tif 000021
【図１１】
2008135153.tif 000022
【図１２】
2008135153.tif 000023